(57)【要約】【課題】圧縮材の上端部を吊ボルトに容易に係止可能な圧縮材係止金具を提供する。【解決手段】圧縮材係止金具１を、圧縮材ｉの上端部に固定される固定板部と、該固定板部から前上方に延出する上部係止板部３と、該上部係止板部３の下方で、固定板部から前方に延出する下部係止板部４とによって構成し、上部係止板部４には、吊ボルトｄを周縁から挿入可能な係止孔１１を切欠状に形成する。そして、上部係止板部３が略水平となるよう圧縮材ｉを傾けた状態で、上部係止板部３の周縁から係止孔１１に吊ボルトｄを挿入して、しかる後に、圧縮材ｉを垂直にすると、係止孔１１が吊ボルトと前後方向に係合し、また、下部係止板部４に形成された側方係止部１４ａ，１４ｂが吊ボルトｄと幅方向に係合するよう構成する。【選択図】図９
2015194021.tif 000002
【特許請求の範囲】
【請求項１】
天井下地材を吊持する吊ボルトに沿って配設される圧縮材の上端部を、吊ボルトに係止するための圧縮材係止金具であって、
圧縮材の上端部に固定される固定板部と、
該固定板部から前上方に延出する上部係止板部と、
該上部係止板部の下方で、固定板部から前方に延出する下部係止板部と
を備えてなり、
上部係止板部には、吊ボルトを挿通可能な係止孔と、周縁から吊ボルトを係止孔に挿入可能とする案内溝とが切欠状に形成され、
下部係止板部は、係止孔の下方で、幅方向から吊ボルトと係合する側方係止部を備え、
圧縮材の上端部に固定された状態で、上部係止板部が略水平となるよう圧縮材を傾けると、係止孔の前後幅が広がるとともに、側方係止部が係止孔の下方から退避することにより、案内溝を介して上部係止板部の周縁から係止孔に吊ボルトを挿入可能となり、
圧縮材の上端部に固定されて、吊ボルトを係止孔に挿入した状態で、圧縮材を吊ボルトに沿って垂直にすると、係止孔の前後幅が吊ボルトの径と略等しくなることにより、係止孔で吊ボルトと前後方向に係合し、また、係止孔の下方で、側方係止部が吊ボルトと幅方向に係合することを特徴とする圧縮材係止金具。
【請求項２】
固定板部と上部係止板部と下部係止板部とは、屈曲する一枚の金属板によって構成されており、
上部係止板部は、固定板部の上縁に形成された屈曲部から、前上方に延成され、
下部係止板部は、固定板部の下縁に形成された屈曲部から、前方に延成されていることを特徴とする請求項１に記載の圧縮材係止金具。
【請求項３】
下部係止板部は、圧縮材の上端部に固定され、吊ボルトを係止孔に挿入して、圧縮材を吊ボルトに沿って垂直にした状態で、係止孔の下方で、吊ボルトに前方から近接する傾動規制部を備えることを特徴とする請求項１又は請求項２に記載の圧縮材係止金具。
【発明の詳細な説明】
【技術分野】
【０００１】
本発明は、天井構造にあって、天井下地材を吊持する吊ボルトに沿って配設される圧縮材の上端部を吊ボルトに係止する圧縮材係止金具に関する。
【背景技術】
【０００２】
一般的な天井構造は、天井スラブ等から吊ボルトを垂下させて、該吊ボルトの下端に天井下地材を吊持し、該天井下地材に天井板を支持する構造となっている。また、近年では、吊ボルトの補強を目的として、吊ボルトに沿って圧縮材を配設した天井構造が提案されている。かかる天井構造では、圧縮材は、吊ボルトの略全長に亘って配設され、その上端部は吊ボルトの上端部に係止される。そして、圧縮材の上端部を吊ボルトに係止する圧縮材係止金具として、吊ボルトを囲う吊ボルト囲繞部と、圧縮材の上端部を吊ボルトに係止する係止部とからなる金具が提案されている（例えば、特許文献１）。
【先行技術文献】
【特許文献】
【０００３】
【特許文献１】特開２０１４−９４５０号公報
【発明の概要】
【発明が解決しようとする課題】
【０００４】
上記特許文献１の圧縮材係止金具は、吊ボルトを囲繞する構成であるため、少なくとも二片の金属部材によって構成して、施工現場で二片の金属部材を、吊ボルトを囲繞するように組み付ける作業が必要である。このため、上記特許文献１の圧縮材係止金具は、圧縮材の上端部を吊ボルトに係止する作業が煩雑となっている。
【０００５】
本発明は、かかる現状に鑑みてなされたものであり、圧縮材の上端部を吊ボルトに容易に係止可能な圧縮材係止金具の提供を目的とする。
【課題を解決するための手段】
【０００６】
本発明は、天井下地材を吊持する吊ボルトに沿って配設される圧縮材の上端部を、吊ボルトに係止するための圧縮材係止金具であって、圧縮材の上端部に固定される固定板部と、該固定板部から前上方に延出する上部係止板部と、該上部係止板部の下方で、固定板部から前方に延出する下部係止板部とを備えてなり、上部係止板部には、吊ボルトを挿通可能な係止孔と、周縁から吊ボルトを係止孔に挿入可能とする案内溝とが切欠状に形成され、下部係止板部は、係止孔の下方で、幅方向から吊ボルトと係合する側方係止部を備え、圧縮材の上端部に固定された状態で、上部係止板部が略水平となるよう圧縮材を傾けると、係止孔の前後幅が広がるとともに、側方係止部が係止孔の下方から退避することにより、案内溝を介して上部係止板部の周縁から係止孔に吊ボルトを挿入可能となり、圧縮材の上端部に固定されて、吊ボルトを係止孔に挿入した状態で、圧縮材を吊ボルトに沿って垂直にすると、係止孔の前後幅が吊ボルトの径と略等しくなることにより、係止孔で吊ボルトと前後方向に係合し、また、係止孔の下方で、側方係止部が吊ボルトと幅方向に係合することを特徴とする圧縮材係止金具である。ここで、圧縮材係止金具の「前方」とは、水平方向であって、固定板部に対して吊ボルトが配置されることとなる方向を指す。また、「幅方向」とは、水平方向であって、「前方」と直交する方向を指す。
【０００７】
かかる圧縮材係止金具は、圧縮材の上端部に固定して、圧縮材を傾けた状態で吊ボルトを係止孔に挿入し、圧縮材を吊ボルトに沿って垂直にするだけで、圧縮材の上端部を吊ボルトに係止できる。かかる圧縮材係止金具は、一片の金属部材で構成可能であり、圧縮材の上端部に固定するだけで使用可能であるから、上記従来構成に比べて圧縮材の上端部を吊ボルトに容易に係止できる。
【０００８】
本発明にあって、固定板部と上部係止板部と下部係止板部とは、屈曲する一枚の金属板によって構成されており、上部係止板部は、固定板部の上縁に形成された屈曲部から、前上方に延成され、下部係止板部は、固定板部の下縁に形成された屈曲部から、前方に延成されている構成が提案される。
【０００９】
かかる構成にあっては、一枚の金属板を屈曲させるだけで、固定板部と上部係止板部と下部係止板部とを簡単に形成できるため、二片以上の金属部材が必要な特許文献１の圧縮材係止金具に比べて、極めて低廉に実現できるという利点がある。
【００１０】
また、本発明にあって、下部係止板部は、圧縮材の上端部に固定され、吊ボルトを係止孔に挿入して、圧縮材を吊ボルトに沿って垂直にした状態で、係止孔の下方で、吊ボルトに前方から近接する傾動規制部を備える構成が提案される。
【００１１】
圧縮材の下端部を傾動させて吊ボルトに沿って垂直にする時に、圧縮材の下端部を吊ボルトに近づけ過ぎると、係止孔の前後幅が吊ボルトの径より狭くなり、上部係止板部に大きな負荷がかかって変形するおそれがあるが、かかる構成によれば、傾動規制部が前方から吊ボルトに突き当たることで、圧縮材の下端部が吊ボルトに接近しすぎるのを阻止して、上部係止板部の変形を防止できる。
【発明の効果】
【００１２】
以上に述べたように、本発明によれば、従来構成の圧縮材係止金具に比べて、圧縮材の上端部を吊ボルトに容易に係止できる。
【図面の簡単な説明】
【００１３】
【図１】実施例１の圧縮材係止金具１を用いた天井構造を示す説明図である。
【図２】図１中のＡ−Ａ線端面図である。
【図３】圧縮材係止金具１の正面図である。
【図４】圧縮材係止金具１の背面図である。
【図５】圧縮材係止金具１の右側面図である。
【図６】圧縮材係止金具１の左側面図である。
【図７】圧縮材係止金具１の平面図である。
【図８】圧縮材係止金具１の底面図である。
【図９】圧縮材係止金具１の使用状態を示す平面図である。
【図１０】圧縮材係止金具１の使用状態を示す正面図である。
【図１１】圧縮材係止金具１の使用状態を示す縦断側面図である。
【図１２】圧縮材係止金具１を用いて圧縮材ｉの上端部を吊ボルトｄに係止する手順を示す説明図である。
【図１３】圧縮材係止金具１を用いて圧縮材ｉの上端部を吊ボルトｄに係止する手順を別角度から示す説明図である。
【発明を実施するための形態】
【００１４】
本発明の実施形態を、以下の実施例に従って説明する。
【００１５】
図１は、本実施例の圧縮材係止金具１を用いた天井構造の施工例である。かかる天井構造は、格子状に組み付けられた天井下地材ａと、該天井下地材ａの下部に支持された天井板ｂと、上端部を天井スラブｃに埋設されて鉛直方向に垂下する吊ボルトｄと、天井下地材ａを吊ボルトｄの下端部に連結するハンガーｅとを備えている。また、天井下地材ａとハンガーｅの連結部分には、公知の補強金具ｇが取り付けられる。そして、かかる天井構造には、吊ボルトｄに沿って圧縮材ｉが配設される。圧縮材ｉは、図２に示すように、帯状鋼板を断面コ字状に屈曲させてなるものであり、吊ボルトｄと正対する中板ｉ１と、吊ボルトｄの両側に位置する側板ｉ２，ｉ２とによって構成される。圧縮材ｉは、吊ボルトｄの全長に亘って配設されており、本実施例の圧縮材係止金具１によって、上端部を吊ボルトｄに係止され、下端部を補強金具ｇにネジ止めされている。かかる天井構造は、圧縮材係止金具１を除き、既存の天井構造の構成を広く採用可能であるため、詳細な説明は省略する。
【００１６】
本実施例の圧縮材係止金具１は、図３〜８に示すように、金属鋼板をプレス加工してなるものである。圧縮材係止金具１は、圧縮材ｉの正面に固定される垂直な固定板部２と、固定板部２の上縁の屈曲部１３ａから前上方に延出する上部係止板部３と、固定板部２の下縁の屈曲部１３ｂから前方に延出する下部係止板部４とを備えている。
【００１７】
固定板部２は、垂直な矩形平板状をなしており、その幅寸法は、圧縮材ｉよりもわずかに幅狭となっている。図９〜１１に示すように、圧縮材係止金具１は、固定板部２を圧縮材ｉの正面、すなわち中板ｉ１の正面に被着して、タッピンネジｈで固定板部２を中板ｉ１にネジ止めすることにより圧縮材ｉの上端部に固定される。固定板部２の中央付近には、タッピンネジｈを挿通するネジ挿通孔１０が予め形成されている。なお、固定板部２を圧縮材ｉに固定する方法は、ネジ止めに限定されず、溶接などの固定方法も採用できる。
【００１８】
上部係止板部３は、金属鋼板を屈曲させることにより固定板部２の上縁に延成されたものであり、水平面に対して約２０°の角度で前上方に延出している。この上部係止板部３には、吊ボルトｄと前後方向に係合するための係止孔１１と、左側縁から係止孔１１に吊ボルトｄを挿入可能とする幅方向の案内溝１２とが切欠状に形成されており、平面視において、つ字状をなしている。図９〜１１に示すように、係止孔１１及び案内溝１２の前後幅は、吊ボルトｄの径と略等しく設計されており、係止孔１１に吊ボルトｄを内嵌させた状態で、係止孔１１の前後縁部分で吊ボルトｄと前後方向に係合し得るよう構成されている。なお、後述するように、上部係止板部３が水平になるよう圧縮材係止金具１を傾けた場合は、係止孔１１と案内溝１２の前後幅が吊ボルトｄよりも幅広となるため、上部係止板部３の左側縁から、案内溝１２を介して吊ボルトｄを係止孔１１に抵抗なく容易に挿入可能となる。
【００１９】
下部係止板部４は、金属鋼板を屈曲させることにより固定板部２の下縁に形成されたものであり、略水平に前方に延出している。この下部係止板部４は、吊ボルトｄと幅方向に係合する左右一対の側方係止部１４ａ，１４ｂと、吊ボルトｄの正面に近接する傾動規制部１５とを備えており、平面視においてＵ字状をなしている。
【００２０】
図９〜１１に示すように、側方係止部１４ａ，１４ｂの内側縁の間には、前方が開放された前後方向の保持溝孔１６が形成される。かかる保持溝孔１６は、吊ボルトｄの径よりもわずかに幅広な幅寸法をなし、係止孔１１と上下方向に重なる位置に形成されており、係止孔１１に吊ボルトｄを内嵌させた時に、係止孔１１の下方で、吊ボルトｄが保持溝孔１６に内嵌して、側方係止部１４ａ，１４ｂが吊ボルトｄと幅方向に係合するよう構成される。
【００２１】
傾動規制部１５は、保持溝孔１６の突き当り部分を形成する。傾動規制部１５の前縁は、係止孔１１の後縁と上下に略重なる位置に形成され、係止孔１１の下方で、前方から吊ボルトｄに近接することで、圧縮材ｉの下端部が吊ボルトｄに過度に接近するのを防止する。
【００２２】
以下に、上記圧縮材係止金具１を用いて圧縮材ｉの上端部を吊ボルトｄに係止する方法を説明する。
【００２３】
まず、圧縮材ｉの上端部に圧縮材係止金具１を固定する。具体的には、図９〜１１に示すように、圧縮材ｉの中板ｉ１の上端部正面側に固定板部２を被着し、タッピンネジｈ，ｈを用いてネジ挿通孔１０，１０の部分を中板ｉ１にネジ止めする。
【００２４】
続いて、図１２（ａ），１３（ａ）に示すように、上部係止板部３が略水平になるよう圧縮材ｉを傾けて、案内溝１２を介して吊ボルトｄの上端部を係止孔１１に挿入する。この時、上部係止板部３が略水平となることで、係止孔１１と案内溝１２の前後幅が吊ボルトｄの径より幅広となるため、吊ボルトｄを抵抗なく係止孔１１に容易に挿入できる。また、係止孔１１と案内溝１２の下方に配設された下部係止板部４は、圧縮材係止金具１が傾くことで、後方に退避しているため、かかる状態では、吊ボルトｄを下部係止板部４と干渉させることなく係止孔１１に挿入できる。
【００２５】
吊ボルトｄを係止孔１１に挿入した後は、図１２（ｂ），１３（ｂ）に示すように、圧縮材ｉが吊ボルトｄに沿って垂直になるように、圧縮材ｉの下端部を、上端部を中心に前方に傾動させる。そして、圧縮材ｉを傾動して垂直にすると、図１２（ｃ），１３（ｃ）に示すように、圧縮材ｉの傾動とともに前方に進出した下部係止板部４の保持溝孔１６に吊ボルトｄが内嵌することとなる。かかる状態では、上部係止板部４が水平面に対して傾いて、係止孔１１の前後幅が吊ボルトｄと略等しくなることで、吊ボルトｄが係止孔１１に密嵌して、吊ボルトｄと係止孔１１とが前後方向に係合する。また、かかる状態では、吊ボルトｄは、下部係止板部４の側方係止部１４ａ，１４と幅方向に係合することとなる。すなわち、かかる状態にあっては、係止孔１１で吊ボルトｄと前後方向に係合し、保持溝孔１６において吊ボルトｄと幅方向に係合することで、圧縮材ｉの上端部が、圧縮材係止金具１を介して吊ボルトｄの上端部に係止される。
【００２６】
また、図１２（ｃ），１３（ｃ）に示すように、圧縮材ｉを吊ボルトｄに沿って垂直にした状態で、圧縮材ｉの下端部を吊ボルトｄにさらに近接させると、係止孔１１の前後幅が吊ボルトｄの径より狭くなり、上部係止板部３に大きな負荷がかかって、上部係止板部３が変形するおそれがある。本実施例では、かかる上部係止板部３の変形を防止するために、圧縮材ｉを吊ボルトｄに沿って垂直にした時に、下部係止板部４の傾動規制部１５を、吊ボルトｄに前方から近接させて、圧縮材ｉの下端部の前方傾動を規制している。
【００２７】
上述のように、圧縮材係止金具１を介して圧縮材ｉの上端部を吊ボルトｄに係止したら、図１に示すように、圧縮材ｉの下端部を吊ボルトｄの下端部付近の補強金具ｇにネジ止めすれば、圧縮材ｉの天井構造への取付けが完了する。なお、圧縮材ｉの下端部の固定方法はネジ止めに限定されず、固定対象も補強金具ｇに限らず、吊ボルトｄやハンガーｅに固定するようにしてもよい。
【００２８】
以上のように、本実施例の圧縮材係止金具１は、圧縮材ｉの上端部に固定して、圧縮材ｉを傾けた状態で吊ボルトｄを上部係止板部３の係止孔１１に挿入し、圧縮材ｉを吊ボルトｄに沿って垂直にするだけで、圧縮材ｉの上端部を吊ボルトｄに係止できる。したがって、かかる圧縮材係止金具１によれば、吊ボルトを囲繞するように二片の金属部材を組み付ける従来の金具に比べて、圧縮材ｉの上端部を吊ボルトｄに対して容易に係止できるという利点がある。特に、本実施例の圧縮材係止金具１は、最初に、圧縮材ｉの上端部に固定しておけば、圧縮材係止金具１を吊ボルトｄに係止する作業は、圧縮材ｉの中央部や下端部を把持して行うことができるから、作業者は吊ボルトｄの上端部まで上ることなく、吊ボルトｄの上端部に圧縮材ｉを係止できるという利点がある。
【００２９】
また、本実施例の圧縮材係止金具１は、一枚の金属平板に、溝や孔１０，１１，１２，１６を形成し、上下二箇所で屈曲させるだけで製造できるため、従来の圧縮材係止金具に比べて簡単かつ低廉に製造できるという利点がある。
【００３０】
なお、本発明のブレース上部取付金具は、上記実施例の形態に限らず本発明の要旨を逸脱しない範囲内において種々変更を加えることができる。例えば、本発明の圧縮材係止金具は、上記実施例の天井構造に限らず、吊ボルトに沿って圧縮材を取り付ける天井構造全般に使用可能である。
【００３１】
また、上記実施例の圧縮材係止金具１は、横断面コ字状の圧縮材ｉに固定しているが、本発明の圧縮材係止金具は、横断面コ字状以外の圧縮材を係止するのにも使用できる。圧縮材のその他の横断面形状としては、横断面Ｌ字状などが挙げられる。
【００３２】
また、上記実施例は、左右一対の側方係止部１４ａ，１４ｂによって、幅方向の両側から吊ボルトｄと係合し得るよう構成されているが、本発明に係る側方係止部は、少なくとも、吊ボルトの係止孔からの脱落を防止する側で、吊ボルトと係合すれば足りる。すなわち、上記実施例であれば、案内溝１２と上下に重なる側に設けられた側方係止部１４ａがあれば足りる。
【００３３】
また、上記実施例では、直線状の案内溝１２を介して吊ボルトｄを係止孔１１に挿入可能としているが、本発明に係る案内溝の形状は、直線状に限らず。Ｌ字状や曲線状などにしてもかまわない。
【符号の説明】
【００３４】
１  圧縮材係止金具
２  固定板部
３  上部係止板部
４  下部係止板部
１０  ネジ挿通孔
１１  係止孔
１２  案内溝
１３ａ，１３ｂ  屈曲部
１４ａ，１４ｂ  側方係止部
１５  傾動規制部
１６  保持溝孔
ａ  天井下地材
ｂ  天井板
ｃ  天井スラブ
ｄ  吊ボルト
ｅ  ハンガー
ｇ  補強金具
ｈ  タッピンネジ
ｉ  圧縮材
【図１】
2015194021.tif 000003
【図２】
2015194021.tif 000004
【図３】
2015194021.tif 000005
【図４】
2015194021.tif 000006
【図５】
2015194021.tif 000007
【図６】
2015194021.tif 000008
【図７】
2015194021.tif 000009
【図８】
2015194021.tif 000010
【図９】
2015194021.tif 000011
【図１０】
2015194021.tif 000012
【図１１】
2015194021.tif 000013
【図１２】
2015194021.tif 000014
【図１３】
2015194021.tif 000015